(57)【特許請求の範囲】
【請求項１】
インターホン本体とハンドセットを備え、前記インターホン本体が水平面上に水平に設置される第１使用形態と、前記インターホン本体が前記水平面に対して斜めに設置される第２使用形態とを選択可能なインターホンであって、
インターホン本体のハンドセット装着部に、フックスイッチ、第１支承部、第２支承部を設け、第１支承部がハンドセットの送話部を支承し、第２支承部が前記ハンドセットの受話部を支承した状態で、前記フックスイッチがＯＦＦするインターホンにおいて、
前記ハンドセット装着部に前記送話部と係合する第１突起と、前記受話部と係合する第２突起とを設け、前記水平面からの前記第１および第２突起の高さを、前記第１使用形態で前記第１突起の先端が前記第２突起の先端よりも高く、前記第２使用形態で前記第２突起の先端が前記第１突起の先端よりも高くなるような関係に設定し、前記第２使用形態において、前記ハンドセットが重力により前記第１突起と前記送話部との係合を解除する方向へ滑り動くように構成したことを特徴とするインターホン。
【請求項２】
前記ハンドセットの受話部に耳当て凹部を形成し、前記第２突起の幅を前記耳当て凹部の差渡し寸法よりも短く設定し、前記第１突起と前記送話部との係合が解除されたときに、前記第２突起が前記耳当て凹部に嵌入する請求項１記載のインターホン。
【請求項３】
前記第２突起が、基端よりも先端側の厚さが薄くなる先鋭状に形成されている請求項１又は２記載のインターホン。
【発明の詳細な説明】
【技術分野】
【０００１】
本発明は、インターホン本体に設けられたフックスイッチをハンドセットによってＯＮ／ＯＦＦするインターホンに関する。
【背景技術】
【０００２】
従来、図５に示すようなインターホンが知られている。このインターホン５０は、インターホン本体５１の片側にハンドセット装着部５２を備えている。ハンドセット装着部５２には、ハンドセット５３の送話部５４を支承する第１支承部５５と、ハンドセット５３の受話部５６を支承する第２支承部５７とが形成されている。
【０００３】
第１支承部５５には送話部５６を案内する突起５８が形成され、第２支承部５７にフックスイッチ５９が設けられている。そして、ハンドセット５３を装着部５２から持ち上げたときに、フックスイッチ５９がＯＮし、送話部５４と受話部５６を第１および第２支承部５５，５７にセットした状態で、フックスイッチ５９がＯＦＦするようになっている。
【０００４】
なお、特許文献１には、ハンドセットの受話部と送話部に設けた凹部にインターホン本体側の２つの突起を嵌合し、ハンドセットのがたつきおよび傾きを防止する技術が記載されている。特許文献２には、フックスイッチのＯＮ／ＯＦＦストロークを小さくすることによって、インターホン本体を薄く形成できる技術が記載されている。
【先行技術文献】
【特許文献】
【０００５】
【特許文献１】特開２００２−１５８７５９号公報
【特許文献２】特開２００３−０６９６８３号公報
【発明の概要】
【発明が解決しようとする課題】
【０００６】
ところが、従来のインターホン５０によると、図６に示すように、インターホン本体５２を水平面上に斜めに設置して使用するときに、第２支承部５７が突起５８とほぼ同じ高さ（Ｈ）となる。このため、通話後に使用者がハンドセット５３を正規位置にセットせず、送話部５４を突起５８の上に載せると、質量バランスが均衡してハンドセット５３が水平に保持され、受話部５６が第２支承部５７に正しく支承されず、フックスイッチ５９がＯＮしたままの状態に放置されるという問題点があった。
【０００７】
本発明は上記問題点に着目してなされたものであり、その目的は、通話後に使用者がハンドセットを正しくセットしなかった場合でも、フックスイッチを確実にＯＦＦできるインターホンを提供することにある。
【課題を解決するための手段】
【０００８】
上記課題を解決するために、本発明は、インターホン本体のハンドセット装着部に、フックスイッチ、第１支承部、第２支承部を設け、第１支承部がハンドセットの送話部を支承し、第２支承部がハンドセットの受話部を支承した状態で、フックスイッチがＯＦＦするインターホンにおいて、次のような特徴的手段を提供する。
【０００９】
（１）ハンドセット装着部に送話部と係合する第１突起と、受話部と係合する第２突起とを設け、第１および第２突起の高さを、ハンドセットが重力により第１突起と送話部との係合を解除する方向へ滑り動くような関係に設定したことを特徴とするインターホン。具体的には、第１および第２突起の高さが、インターホン本体を水平面上に斜めに設置した状態で、第２突起の先端が第１突起の先端よりも高くなるような関係に設定される。
【００１０】
（２）ハンドセットの受話部に耳当て凹部を形成し、第２突起の幅を耳当て凹部の差渡し寸法よりも短く設定し、第１突起と送話部との係合が解除されたときに、第２突起が耳当て凹部に嵌入することを特徴とするインターホン。
【００１１】
（３）第２突起が、基端よりも先端側の厚さが薄くなる先鋭状に形成されていることを特徴とするインターホン。
【発明の効果】
【００１２】
本発明のインターホンによれば、通話後に使用者がハンドセットの送話部を第１突起の上に載せた場合に、第１突起と第２突起の高さ関係で決まる重力の作用により、ハンドセットが送話部と第１突起との係合を解除する方向へ滑り動く。このため、送話部が第１支承部に、受話部が第２支承部にそれぞれ正しく支承され、これによってフックスイッチを確実にＯＦＦできるという効果がある。
【図面の簡単な説明】
【００１３】
【図１】本発明の一実施形態を示すインターホンの斜視図である。
【図２】ハンドセットが水平となるインターホンの使用形態を示す立面図である。
【図３】ハンドセットの受話部と第２支承部を拡大して示す斜視図である。
【図４】インターホンを水平面上に斜めに設置した使用形態を示す立面図である。
【図５】従来のインターホンを部分的に示す斜視図である。
【図６】従来のインターホンの問題点を示す立面図である。
【発明を実施するための形態】
【００１４】
以下、本発明の実施形態を図面に基づいて説明する。図１、図２に示すインターホン１は、従来と同様に、インターホン本体１１のハンドセット装着部１２に第１支承部１５、第２支承部１７およびフックスイッチ１９を備え、第１支承部１５がハンドセット１３の送話部１４を支承し、第２支承部１７がハンドセット１３の受話部１６を支承した状態で、その受話部１６によってフックスイッチ１９をＯＦＦするように構成されている。
【００１５】
第１支承部１５には、送話部１４を滑らせる傾斜面１５ａと、送話部１４を傾斜面１５ａに案内するための第１突起１８とが形成されている。第２支承部１７には、受話部１６の顎部１６ａ（図２参照）に当接する当接面１７ａと、受話部１６の耳当て凹部１６ｂに嵌入する第２突起２０とが形成され、第２突起２０と当接面１６ａとにより受話部１６がフックスイッチ１９をＯＦＦする位置に保持される。
【００１６】
第１突起１８および第２突起２０の高さは、図４に示すように、インターホン本体１２を水平面上に斜めに設置した状態で、第２突起２０の先端が第１突起１８の先端よりも高くなるような関係（Ｈ２＞Ｈ１）に設定されている。そして、送話部１４が第１突起１８の上に載置されたときに、ハンドセット１３が重力により第１突起１８と送話部１４との係合を解除する方向（図４ａの矢印方向）へ滑り動くようになっている。
【００１７】
図３に示すように、耳当て凹部１６ｂは受話部１６に円形に形成され、第２突起２０の幅（Ｗ）が耳当て凹部１６ｂの差渡し寸法（直径寸法：Ｄ）よりも短く設定されている。これにより、第１突起１８と送話部１４との係合が解除されたときに、第２突起２０が耳当て凹部１６ａにスムーズに嵌入する。また、第２突起２０は、受話部１６との接触面積が小さくなるように、基端よりも先端側の厚さが薄くなる先鋭状に形成されている。
【００１８】
上記構成のインターホン１は、ハンドセット１３が水平となる形態（図２参照）と、ハンドセット１３が斜めとなる形態（図４参照）とのどちらでも使用できる。斜めの使用形態では、第２突起２０が第１突起１８よりも高くなるので、図４（ａ）に示すように、使用者がハンドセット１３を正規位置にセットせず、送話部１４を第１突起１８の上に載せた場合に、質量バランスが不均衡となってハンドセット１３が重力により矢印方向へ滑り動く。
【００１９】
このため、図４（ｂ）に示すように、送話部１４と第１突起１８との係合を自動的に解除し、送話部１４と受話部１６を第１および第２支承部１５，１７に正しく支承し、受話部１６でフックスイッチ１９を確実にＯＦＦできる。また、第２突起２０が尖鋭に形成され、その幅が耳当て凹部１６ａの直径よりも短く設定されているので、第２突起２０と受話部１６との間の摩擦抵抗を小さくし、送話部１４を第１突起１８から第１支承部１５にスムーズに滑り落とし、第２突起２０を耳当て凹部１６ｂに確実に嵌入することができる。
【００２０】
本発明は、上記実施形態に限定されるものではなく、例えば、フックスイッチ１９に非接触式スイッチを用いたり、フックスイッチ１９の位置を変更したりするなど、発明の趣旨を逸脱しない範囲で、各部の形状や構成を適宜に変更して実施することも可能である。
【符号の説明】
【００２１】
１    インターホン
１１    インターホン本体
１２    ハンドセット装着部
１３    ハンドセット
１４    送話部
１５    第１支承部
１６    受話部
１６ｂ    耳当て凹部
１７    第２支承部
１８    第１突起
１９    フックスイッチ
２０    第２突起
【図１】
0005986772.tif 000002
【図２】
0005986772.tif 000003
【図３】
0005986772.tif 000004
【図４】
0005986772.tif 000005
【図５】
0005986772.tif 000006
【図６】
0005986772.tif 000007